(57)【要約】  ＥＣＵは、絶縁抵抗Ｒｉがしきい値Ｒｉ（０）よりも小さいか否かを判定するステップ（Ｓ１００）と、絶縁抵抗Ｒｉがしきい値Ｒｉ（０）よりも小さい場合に（Ｓ１００にてＹＥＳ）、車体とＥＨＣとの間で漏電が発生しているか、車体とＥＨＣとの間以外の箇所で漏電が発生している可能性があるかを判定するステップ（Ｓ１０２）と、車体とＥＨＣとの間で漏電が発生している場合に（Ｓ１０２にてＹＥＳ）、加熱制御を実行するステップ（Ｓ１０４）とを含む、プログラムを実行する。
2014064758.tif 000002
【特許請求の範囲】
【請求項１】
エンジン（１０）と、
車体（３）と電気的に絶縁される蓄電装置（７０）と、
前記蓄電装置の電力を用いて加熱され、前記エンジンの排気ガスを浄化する触媒装置（１１０）と、
前記触媒装置の加熱制御を実行するための制御装置（２００）とを含み、
前記触媒装置は、前記車体と電気的に絶縁されるように構成され、
前記制御装置は、前記触媒装置と前記車体との間の絶縁状態が維持されない場合に前記加熱制御を実行する、車両。
【請求項２】
前記車両は、前記触媒装置と前記車体との間の抵抗値を検出する検出装置（７４）をさらに含み、
前記制御装置は、前記抵抗値がしきい値よりも小さい場合に、前記触媒装置の前記加熱制御を実行する、請求項１に記載の車両。
【請求項３】
前記制御装置は、前記抵抗値が前記しきい値よりも小さい場合に、触媒温度が前記触媒装置と前記エンジンの排気通路（１０８）との間の煤を酸化させる温度になるまで前記触媒装置を加熱する煤焼き制御を実行する、請求項２に記載の車両。
【請求項４】
前記制御装置は、前記抵抗値が前記しきい値よりも小さい場合に、触媒温度が前記触媒装置と前記エンジンの排気通路（１０８）との間の水分を蒸発させる第１温度になるまで前記触媒装置を加熱する気化制御を実行する、請求項２に記載の車両。
【請求項５】
前記制御装置は、前記気化制御の実行により前記絶縁状態が回復しない場合には、前記触媒温度が前記触媒装置と前記排気通路との間の煤を酸化させる第２温度になるまで前記触媒装置を加熱する煤焼き制御を実行し、
前記第２温度は、前記第１温度よりも高い温度である、請求項４に記載の車両。
【請求項６】
前記制御装置は、前記触媒装置に電力を供給することによって前記触媒装置の温度を上昇させる、請求項２に記載の車両。
【請求項７】
前記車両は、前記蓄電装置から電力の供給を受けて前記車両を走行させる回転電機をさらに含む、請求項２に記載の車両。
【請求項８】
エンジン（１０）と、車体（３）と電気的に絶縁される蓄電装置（７０）と、前記蓄電装置の電力を用いて加熱され、前記エンジンの排気ガスを浄化する触媒装置（１１０）とを含む車両に用いられる車両用制御方法であって、前記触媒装置は、前記車体と電気的に絶縁されるように構成され、
前記触媒装置と前記車体との間の絶縁状態が維持されるか否かを判定するステップと、
前記触媒装置と前記車体との間の前記絶縁状態が維持されない場合に、前記触媒装置の加熱制御を実行するステップとを含む、車両用制御方法。
【発明の詳細な説明】
【技術分野】
【０００１】
本発明は、電力を用いて加熱される触媒装置における漏電の発生を抑制する技術に関する。
【背景技術】
【０００２】
特開２０１０−２０２０１２号公報（特許文献１）には、ＥＨＣ（Electric  Heating  Catalyst）の通電時の漏電の発生を抑制するために外気温、湿度および大気圧により規定される環境条件が予め定められた結露発生領域に該当する場合にＥＨＣの通電を開始し、排気中の水分や凝縮水を蒸発させる技術が開示される。
【先行技術文献】
【特許文献】
【０００３】
【特許文献１】特開２０１０−２０２０１２号公報
【発明の概要】
【発明が解決しようとする課題】
【０００４】
しかしながら、環境条件が結露発生領域に該当する場合に必ずしも漏電が発生する状態になるとは限らない。また、環境条件が結露発生領域に該当しない場合に必ずしも漏電が発生しない状態になるとは限らない。そのため、上述した公報においては、漏電を抑制するための制御を適切に実行できないという問題がある。【０００５】
本発明の目的は、電力を用いて加熱される触媒装置における漏電の発生を抑制する車両および車両用制御方法を提供することである。
【課題を解決するための手段】
【０００６】
この発明のある局面に係る車両は、エンジンと、車体と電気的に絶縁される蓄電装置と、蓄電装置の電力を用いて加熱され、エンジンの排気ガスを浄化する触媒装置と、触媒装置の加熱制御を実行するための制御装置とを含む。触媒装置は、車体と電気的に絶縁されるように構成される。制御装置は、触媒装置と車体との間の絶縁状態が維持されない場合に加熱制御を実行する。【０００７】
好ましくは、車両は、触媒装置と車体との間の抵抗値を検出する検出装置をさらに含む。制御装置は、抵抗値がしきい値よりも小さい場合に、触媒装置の加熱制御を実行する。【０００８】
さらに好ましくは、制御装置は、抵抗値がしきい値よりも小さい場合に、触媒温度が触媒装置とエンジンの排気通路との間の煤を酸化させる温度になるまで触媒装置を加熱する煤焼き制御を実行する。【０００９】
さらに好ましくは、制御装置は、抵抗値がしきい値よりも小さい場合に、触媒温度が触媒装置とエンジンの排気通路との間の水分を蒸発させる第１温度になるまで触媒装置を加熱する気化制御を実行する。【００１０】
さらに好ましくは、制御装置は、気化制御の実行により絶縁状態が回復しない場合には、触媒温度が触媒装置と排気通路との間の煤を酸化させる第２温度になるまで触媒装置を加熱する煤焼き制御を実行する。第２温度は、第１温度よりも高い温度である。【００１１】
さらに好ましくは、制御装置は、触媒装置に電力を供給することによって触媒装置の温度を上昇させる。【００１２】
さらに好ましくは、車両は、蓄電装置から電力の供給を受けて車両を走行させる回転電機をさらに含む。【００１３】
この発明の他の局面に係る車両用制御方法は、エンジンと、車体と電気的に絶縁される蓄電装置と、蓄電装置の電力を用いて加熱され、エンジンの排気ガスを浄化する触媒装置とを含む車両に用いられる車両用制御方法である。触媒装置は、車体と電気的に絶縁されるように構成される。この車両用制御方法は、触媒装置と車体との間の絶縁状態が維持されるか否かを判定するステップと、触媒装置と車体との間の絶縁状態が維持されない場合に、触媒装置の加熱制御を実行するステップとを含む。
【発明の効果】
【００１４】
この発明によると、触媒装置と車体との間の絶縁状態が維持されない場合に加熱制御を実行することによって触媒装置が加熱されるため、排気通路と触媒装置との間の水分を蒸発させたり、煤を酸化させたりすることができる。これにより、触媒装置と車体との間の絶縁状態を回復させることができる。そのため、触媒装置と車体との間での漏電の発生を抑制することができる。したがって、電力を用いて加熱される触媒装置における漏電の発生を抑制する車両および車両用制御方法を提供することができる。
【図面の簡単な説明】
【００１５】
【図１】本実施の形態に係る車両の全体ブロック図である。
【図２】ＥＨＣの構成を示す図である。
【図３】第１ＭＧ、第２ＭＧ、ＰＣＵ、バッテリ、ＥＨＣの回路構成図である。
【図４】漏電検出装置の構成を示す図である。
【図５】本実施の形態に係る車両に搭載されたＥＣＵの機能ブロック図である。
【図６】本実施の形態に係る車両に搭載されたＥＣＵで実行されるプログラムのフローチャートである。
【発明を実施するための形態】
【００１６】
以下、図面を参照しつつ、本発明の実施の形態について説明される。以下の説明では、同一の部品には同一の符号が付されている。それらの名称および機能も同じである。したがってそれらについての詳細な説明は繰り返されない。
【００１７】
図１を参照して、本実施の形態に係るハイブリッド車両１（以下の説明においては、単に車両１と記載する）の全体ブロック図が説明される。車両１は、車体３と、エンジン１０と、駆動軸１６と、第１モータジェネレータ（以下、第１ＭＧと記載する）２０と、第２モータジェネレータ（以下、第２ＭＧと記載する）３０と、動力分割装置４０と、減速機５８と、ＰＣＵ（Power  Control  Unit）６０と、バッテリ７０と、ＤＣ／ＤＣコンバータ７１と、補機バッテリ７２と、駆動輪８０と、ＥＣＵ（Electronic  Control  Unit）２００とを含む。
【００１８】
この車両１は、エンジン１０および第２ＭＧ３０のうちの少なくとも一方から出力される駆動力によって走行する。エンジン１０が発生する動力は、動力分割装置４０によって２経路に分割される。２経路のうちの一方の経路は減速機５８を介して駆動輪８０へ伝達される経路であり、他方の経路は第１ＭＧ２０に伝達される経路である。
【００１９】
第１ＭＧ２０および第２ＭＧ３０は、たとえば、三相交流回転電機である。第１ＭＧ２０および第２ＭＧ３０は、ＰＣＵ６０によって駆動される。
【００２０】
第１ＭＧ２０は、動力分割装置４０によって分割されたエンジン１０の動力を用いて発電してＰＣＵ６０を経由してバッテリ７０を充電したり、後述する外部の電気負荷に電力を供給したりするジェネレータとしての機能を有する。また、第１ＭＧ２０は、バッテリ７０からの電力を受けてエンジン１０の出力軸であるクランク軸１８を回転させる。これによって、第１ＭＧ２０は、エンジン１０を始動するスタータとしての機能を有する。
【００２１】
第２ＭＧ３０は、バッテリ７０に蓄えられた電力および第１ＭＧ２０により発電された電力の少なくともいずれか一方を用いて駆動輪８０に駆動力を与える駆動用モータとしての機能を有する。また、第２ＭＧ３０は、回生制動によって発電された電力を用いてＰＣＵ６０を経由してバッテリ７０を充電するためのジェネレータとしての機能を有する。
【００２２】
エンジン１０は、たとえば、ガソリンエンジンやディーゼルエンジン等の内燃機関である。
【００２３】
エンジン１０は、複数の気筒１０２と、複数の気筒１０２の各々に燃料を供給する燃料噴射装置１０４と、エキゾーストマニホールド１０６と、排気通路１０８と、ＥＨＣ（電気加熱式触媒装置）１１０と、触媒温度センサ１１４とを含む。なお、エンジン１０の気筒１０２は、１つ以上あればよい。
【００２４】
燃料噴射装置１０４は、ＥＣＵ２００からの制御信号Ｓ１に基づいて、各気筒に対して適切な時期に適切な量の燃料を噴射したり、各気筒に対する燃料の噴射を停止したりする。燃料噴射装置１０４による燃料噴射量は、噴射時間によって調整される。
【００２５】
排気通路１０８の一方端は、エキゾーストマニホールド１０６に接続される。また、排気通路１０８の他方端は、図示しないマフラーに接続される。排気通路１０８の途中には、ＥＨＣ１１０が設けられる。排気通路１０８は、たとえば、ステンレス等で形成されており、車体３と同じ電位になる。
【００２６】
ＥＨＣ１１０は、排気ガスを浄化する触媒１５４と、触媒１５４を通電するための正側電極１１６および負側電極１１８とを含む。なお、ＥＨＣ１１０は、電極１１６，１１８を用いて触媒１５４に通電することによって触媒１５４の温度を上昇させる構成であれば、特に限定されるものではなく、種々の公知の構成を用いればよい。
【００２７】
本実施の形態においては、触媒１５４を加熱するための手段として電極１１６，１１８を用いたＥＨＣを一例として説明するが、特にこれに限定されるものではない。たとえば、燃料噴射量の増量あるいは点火時期の遅角化により排気ガスの温度を上昇させることによって触媒１５４を加熱してもよい。
【００２８】
触媒１５４は、ハニカム構造を有する円筒形状に形成される。正側電極１１６は、触媒１５４の外周面に設けられる。負側電極１１８は、正側電極１１６と同一の形状を有する。負側電極１１８は、正側電極１１６と触媒１５４を介在して対向する位置に設けられる。なお、上記した触媒１５４の形状は、一例であり、円筒形状に限定されるものではない。
【００２９】
図２に示すように、触媒１５４の外周面には、シート状のマット１５３が巻回される。マット１５３は、たとえば、綿状のアルミナ繊維等により形成される。マット１５３と排気通路１０８との間には絶縁部材１５５が設けられる。絶縁部材１５５は、マット１５３の外周面に巻回されるシート状の部材であってもよいし、あるいは、排気通路１０８の内側の壁面に絶縁塗装等により付着される部材であってもよい。絶縁部材１５５によってＥＨＣ１１０と排気通路１０８（車体３）とが電気的に絶縁した状態（以下、この状態を絶縁状態と記載する）になる。
【００３０】
エンジン１０から排出される排気ガスは、触媒１５４によって浄化された後、車外に排出される。触媒１５４は、特定の温度領域まで暖機されることによって浄化作用を発揮する。触媒１５４は、たとえば三元触媒である。
【００３１】
図１に戻って、触媒ＰＣＵ６０とＥＨＣ１１０とは、正極線ＰＬおよび負極線ＮＬで接続される。ＥＨＣ１１０には、ＰＣＵ６０を介して、バッテリ７０からの電力および第１ＭＧ２０で発電された電力が供給される。なお、バッテリ７０とＥＨＣ１１０との接続関係は図１に示すものに限定されない。
【００３２】
ＰＣＵ６０とＥＨＣ１１０との間には、リレーが内蔵された電源回路１１２が設けられおり、ＥＣＵ２００からの制御信号Ｓ３に基づいてＥＨＣ１１０とＰＣＵ６０との電気的な接続状態を切り替える。電源回路１１２に内蔵されたリレーが閉じられると、ＥＨＣ１１０とＰＣＵ６０とが接続され、ＥＨＣ１１０内の正側電極１１６と負側電極１１８とに電圧が印加される。正側電極１１６および負側電極１１８への通電によってＥＨＣ１１０内の触媒１５４にジュール熱が生じることによりＥＨＣ１１０内の触媒１５４が加熱される。電源回路１１２に内蔵されたリレーが開かれると、ＥＨＣ１１０とＰＣＵ６０との接続が遮断され、正側電極１１６および負側電極１１８への通電が停止される。このように、ＥＣＵ２００が電源回路１１２を制御することによってＥＨＣ１１０内の触媒１５４への通電量が制御される。
【００３３】
なお、ＥＣＵ２００は、ＰＣＵ６０を制御することによりＥＨＣ１１０に供給される電力（電圧や電流）を変化させるようにしてもよいし、あるいは、電源回路１１２に内蔵されたリレーに対してデューティ制御を実施することによってＥＨＣ１１０に供給される電力を変化させるようにしてもよい。さらには、電源回路１１２にＥＨＣ１１０に供給される電力を変化させる回路が設けられていてもよい。
【００３４】
触媒温度センサ１１４は、ＥＨＣ１１０内の触媒１５４の温度（以下、触媒温度と記載する）Ｔｃを検出する。触媒温度センサ１１４は、検出された触媒温度Ｔｃを示す信号をＥＣＵ２００に送信する。
【００３５】
触媒温度Ｔｃは、触媒温度センサ１１４により直接検出されてもよい。あるいは、触媒温度Ｔｃは、ＥＣＵ２００により、ＥＨＣ１１０の近傍の部材の温度、ＥＨＣ１１０の上流の排気温度、ＥＨＣ１１０の下流の排気温度、あるいは、エンジン１０の運転履歴に基づいて推定されてもよい。
【００３６】
さらに、エンジン１０には、エンジン回転速度センサ１１が設けられる。エンジン回転速度センサ１１は、エンジン１０のクランク軸１８の回転速度（以下、エンジン回転数と記載する）Ｎｅを検出する。エンジン回転速度センサ１１は、検出されたエンジン回転数Ｎｅを示す信号をＥＣＵ２００に送信する。
【００３７】
動力分割装置４０は、駆動輪８０を回転させるための駆動軸１６、エンジン１０のクランク軸１８および第１ＭＧ２０の回転軸の三要素の各々を機械的に連結する。動力分割装置４０は、上述の三要素のうちのいずれか一つを反力要素とすることによって、他の２つの要素間での動力の伝達を可能とする。第２ＭＧ３０の回転軸は、駆動軸１６に連結される。
【００３８】
動力分割装置４０は、サンギヤ５０と、ピニオンギヤ５２と、キャリア５４と、リングギヤ５６とを含む遊星歯車機構である。ピニオンギヤ５２は、サンギヤ５０およびリングギヤ５６の各々と噛み合う。キャリア５４は、ピニオンギヤ５２を自転可能に支持するとともに、エンジン１０のクランク軸１８に連結される。サンギヤ５０は、第１ＭＧ２０の回転軸に連結される。リングギヤ５６は、駆動軸１６を介在して第２ＭＧ３０の回転軸および減速機５８に連結される。
【００３９】
減速機５８は、動力分割装置４０や第２ＭＧ３０からの動力を駆動輪８０に伝達する。また、減速機５８は、駆動輪８０が受けた路面からの反力を動力分割装置４０や第２ＭＧ３０に伝達する。
【００４０】
ＰＣＵ６０は、スイッチング素子を複数個含む。ＰＣＵ６０は、スイッチング素子のオン・オフ動作を制御することによってバッテリ７０に蓄えられた直流電力を第１ＭＧ２０および第２ＭＧ３０を駆動するための交流電力に変換する。ＰＣＵ６０は、ＥＣＵ２００からの制御信号Ｓ２に基づいて制御されるコンバータおよびインバータ（いずれも図示せず）を含む。コンバータは、バッテリ７０から受けた直流電力の電圧を昇圧してインバータに出力する。インバータは、コンバータが出力した直流電力を交流電力に変換して第１ＭＧ２０および／または第２ＭＧ３０に出力する。これにより、バッテリ７０に蓄えられた電力を用いて第１ＭＧ２０および／または第２ＭＧ３０が駆動される。また、インバータは、第１ＭＧ２０および／または第２ＭＧ３０によって発電される交流電力を直流電力に変換してコンバータに出力する。コンバータは、インバータが出力した直流電力の電圧を降圧してバッテリ７０へ出力する。これにより、第１ＭＧ２０および／または第２ＭＧ３０により発電された電力を用いてバッテリ７０が充電される。なお、コンバータは、省略してもよい。
【００４１】
バッテリ７０は、蓄電装置であり、再充電可能な直流電源である。バッテリ７０は、車体３と電気的に絶縁されるように設けられる。バッテリ７０としては、たとえば、ニッケル水素やリチウムイオン等の二次電池が用いられる。バッテリ７０の電圧は、たとえば２００Ｖ程度である。バッテリ７０は、上述したように第１ＭＧ２０および／または第２ＭＧ３０により発電された電力を用いて充電される他、外部電源（図示せず）から供給される電力を用いて充電されてもよい。なお、バッテリ７０は、二次電池に限らず、直流電圧を生成できるもの、たとえば、キャパシタ、太陽電池、燃料電池等であってもよい。
【００４２】
バッテリ７０には、電池温度センサ１５６と、電流センサ１５８と、電圧センサ１６０とが設けられる。
【００４３】
電池温度センサ１５６は、バッテリ７０の電池温度ＴＢを検出する。電池温度センサ１５６は、電池温度ＴＢを示す信号をＥＣＵ２００に送信する。
【００４４】
電流センサ１５８は、バッテリ７０の電流ＩＢを検出する。電流センサ１５８は、電流ＩＢを示す信号をＥＣＵ２００に送信する。
【００４５】
電圧センサ１６０は、バッテリ７０の電圧ＶＢを検出する。電圧センサ１６０は、電圧ＶＢを示す信号をＥＣＵ２００に送信する。
【００４６】
ＥＣＵ２００は、バッテリ７０の電流ＩＢと、電圧ＶＢと、電池温度ＴＢとに基づいてバッテリ７０の残容量（以下の説明においては、ＳＯＣ（State  of  Charge）と記載する）を推定する。ＥＣＵ２００は、たとえば、電流ＩＢと、電圧ＶＢと、電池温度ＴＢとに基づいてＯＣＶ（Open  Circuit  Voltage）を推定し、推定されたＯＣＶと所定のマップとに基づいてバッテリ７０のＳＯＣを推定してもよい。あるいは、ＥＣＵ２００は、たとえば、バッテリ７０の充電電流と放電電流とを積算することによってバッテリ７０のＳＯＣを推定してもよい。
【００４７】
補機バッテリ７２は、補機（たとえば、Ａ／ＣコンプレッサやＥＣＵ２００が一例である）にバッテリ７０が有する電圧よりも低い電圧（たとえば、１２Ｖ）を供給する。ＤＣ／ＤＣコンバータ７１は、正極線ＰＬおよび負極線ＮＬに接続される。ＤＣ／ＤＣコンバータ７１は、ＥＣＵ２００からの制御信号に応じて動作し、正極線ＰＬおよび負極線ＮＬ間の電圧を低電圧（たとえば、１２Ｖ程度）に降圧して補機バッテリ７２に出力する。これにより、補機バッテリ７２は、ＤＣ／ＤＣコンバータ７１によって充電される。
【００４８】
第１レゾルバ１２は、第１ＭＧ２０に設けられる。第１レゾルバ１２は、第１ＭＧ２０の回転速度Ｎｍ１を検出する。第１レゾルバ１２は、検出された回転速度Ｎｍ１を示す信号をＥＣＵ２００に送信する。
【００４９】
第２レゾルバ１３は、第２ＭＧ３０に設けられる。第２レゾルバ１３は、第２ＭＧ３０の回転速度Ｎｍ２を検出する。第２レゾルバ１３は、検出された回転速度Ｎｍ２を示す信号をＥＣＵ２００に送信する。
【００５０】
減速機５８と駆動輪８０とを連結するドライブシャフト８２には、車輪速センサ１４が設けられる。車輪速センサ１４は、駆動輪８０の回転速度Ｎｗを検出する。車輪速センサ１４は、検出された回転速度Ｎｗを示す信号をＥＣＵ２００に送信する。ＥＣＵ２００は、受信した回転速度Ｎｗに基づいて車速Ｖを算出する。なお、ＥＣＵ２００は、回転速度Ｎｗに代えて第２ＭＧ３０の回転速度Ｎｍ２に基づいて車速Ｖを算出するようにしてもよい。
【００５１】
アクセルペダル１６２は、運転席に設けられる。アクセルペダル１６２には、ペダルストロークセンサ１６４が設けられる。ペダルストロークセンサ１６４は、アクセルペダル１６２のストローク量ＡＰを検出する。ペダルストロークセンサ１６４は、ストローク量ＡＰを示す信号をＥＣＵ２００に送信する。なお、ペダルストロークセンサ１６４に代えてアクセルペダル１６２に対する乗員の踏力を検出するためのアクセルペダル踏力センサを用いてもよい。
【００５２】
ＥＣＵ２００は、エンジン１０を制御するための制御信号Ｓ１を生成し、その生成した制御信号Ｓ１をエンジン１０へ出力する。また、ＥＣＵ２００は、ＰＣＵ６０を制御するための制御信号Ｓ２を生成し、その生成した制御信号Ｓ２をＰＣＵ６０へ出力する。ＥＣＵ２００は、電源回路１１２を制御するための制御信号Ｓ３を生成し、その生成した制御信号Ｓ３を電源回路１１２へ出力する。
【００５３】
ＥＣＵ２００は、エンジン１０およびＰＣＵ６０等を制御することによって車両１が最も効率よく運行できるようにハイブリッドシステム全体、すなわち、バッテリ７０の充放電状態、エンジン１０、第１ＭＧ２０および第２ＭＧ３０の動作状態を制御する。
【００５４】
ＥＣＵ２００は、運転席に設けられたアクセルペダル１６２のストローク量ＡＰに対応する要求パワーＰｖを算出する。ＥＣＵ２００は、算出された要求パワーＰｖに応じて、第１ＭＧ２０および第２ＭＧ３０のトルクと、エンジン１０の出力とを制御する。
【００５５】
上述したような構成を有する車両１においては、発進時や低速走行時等であってエンジン１０の効率が悪い場合には、第２ＭＧ３０のみによる走行が行なわれる。また、通常走行時には、たとえば動力分割装置４０によりエンジン１０の動力が２経路の動力に分けられる。一方の動力で駆動輪８０が直接的に駆動される。他方の動力で第１ＭＧ２０を駆動して発電が行なわれる。このとき、ＥＣＵ２００は、発電された電力を用いて第２ＭＧ３０を駆動させる。このように第２ＭＧ３０を駆動させることにより駆動輪８０の駆動補助が行なわれる。
【００５６】
車両１の減速時には、駆動輪８０の回転に従動する第２ＭＧ３０がジェネレータとして機能して回生制動が行なわれる。回生制動によって回収した電力は、バッテリ７０に蓄えられる。なお、ＥＣＵ２００は、バッテリ７０のＳＯＣが低下し、充電が特に必要な場合には、エンジン１０の出力を増加させて第１ＭＧ２０による発電量を増加させる。これにより、バッテリ７０のＳＯＣが増加させられる。また、ＥＣＵ２００は、低速走行時でも必要に応じてエンジン１０からの駆動力を増加させる制御を行なう場合もある。たとえば、上述のようにバッテリ７０の充電が必要な場合や、エアコン等の補機が駆動される場合や、エンジン１０の冷却水の温度や触媒１５４を所定温度まで上げる場合等である。
【００５７】
図３は、第１ＭＧ２０、第２ＭＧ３０、ＰＣＵ６０、バッテリ７０、ＥＨＣ１１０の回路構成を示す図である。
【００５８】
ＰＣＵ６０とバッテリ７０との間には、システムメインリレー（ＳＭＲ）７１が設けられる。ＳＭＲ７１は、ＥＣＵ２００からの制御信号によって制御され、バッテリ７０とＰＣＵ６０との間での電力の供給と遮断とを切り替える。
【００５９】
ＰＣＵ６０は、コンバータ６１、インバータ６２，６３、平滑コンデンサ６４，６５、放電抵抗６６を含む。
【００６０】
コンバータ６１は、正極線ＰＬおよび負極線ＮＬを介してバッテリ７０に接続される。また、コンバータ６１は、正極線ＰＬ１および負極線ＮＬを介してインバータ６２，６３に接続される。
【００６１】
コンバータ６１は、リアクトルと、２つのスイッチング素子と、２つのダイオードとを含む。コンバータ６１は、ＥＣＵ２００からの制御信号によって制御され、バッテリ７０とインバータ６２，６３との間で電圧変換を行なう。
【００６２】
インバータ６２は、コンバータ６１と第１ＭＧ２０との間に設けられる。インバータ６３は、コンバータ６１と第２ＭＧ３０との間に設けられる。インバータ６２，６３は、コンバータ６１に対して互いに並列に接続される。
【００６３】
インバータ６２，６３の各々は、三相の上下アーム（スイッチング素子）と、各スイッチング素子に逆並列に接続されたダイオードとを含む。インバータ６２，６３の各上下アームは、ＥＣＵ２００からの制御信号によって制御され、コンバータ６１で電圧変換された直流電力を交流電力に変換してそれぞれ第１ＭＧ２０、第２ＭＧ３０に出力する。
【００６４】
平滑コンデンサ６４は、正極線ＰＬと負極線ＮＬとの間に接続され、正極線ＰＬおよび負極線ＮＬ間の電圧変動の交流成分を平滑化する。平滑コンデンサ６５は、正極線ＰＬ１と負極線ＮＬとの間に接続され、正極線ＰＬ１および負極線ＮＬ間の電圧変動の交流成分を平滑化する。
【００６５】
放電抵抗６６は、正極線ＰＬ１と負極線ＮＬとの間に接続される。放電抵抗６６は、平滑コンデンサ６４，６５の残留電荷を抜くことを用途とする。
【００６６】
ＥＨＣ１１０は、コンバータ６１とインバータ６２，６３との間の電力線（正極線ＰＬ１、負極線ＮＬ）に接続される。より具体的には、正側電極１１６が正極線ＰＬ１から分岐する正極分岐線ＰＬｅｈｃに接続され、負側電極１１８が負極線ＮＬから分岐する負極分岐線ＮＬｅｈｃに接続される。触媒１５４に対してバッテリ７０の電力をコンバータ６１で昇圧した後の電力が供給されることによって、触媒１５４は、ジュール熱により加熱される。このように、本実施の形態におけるバッテリ７０およびコンバータ６１は、ハイブリッド電源（第２ＭＧ３０の駆動用電源）としてだけでなくＥＨＣ電源（触媒１５４の加熱用電源）としても用いられる。また、触媒１５４は、車両１の制動時には、第１ＭＧ２０および／または第２ＭＧ３０で発電された回生電力（より正確には回生電力をインバータ６２，６３で直流電力に変換した後の電力）を消費することによっても加熱される。
【００６７】
ＥＨＣ１１０とＰＣＵ６０との間には、電源回路１１２が設けられる。電源回路１１２は、正極分岐線ＰＬｅｈｃ上に設けられたＥＨＣリレーＲ１と、負極分岐線ＮＬｅｈｃ上に設けられたＥＨＣリレーＲ２と、ＥＨＣ１１０およびＥＨＣリレーＲ１，Ｒ２の状態を監視する監視センサ１２０とを内部に備える。監視センサ１２０は、ＥＨＣ１１０に供給される電圧値および電流値から、ＥＨＣ１１０の消費電力（以下「ＥＨＣ消費電力Ｐｅｈｃ」ともいう）、ＥＨＣ１１０の推定温度、ＥＨＣ１１０の電気抵抗値などを算出し、算出結果をＥＣＵ２００に出力する。なお、監視センサ１２０の機能の全部または一部を電源回路１１２の外部に設けるようにしてもよい。
【００６８】
各ＥＨＣリレーＲ１，Ｒ２の開閉（オン・オフ）は、ＥＣＵ２００からの制御信号によって制御される。ＥＨＣリレーＲ１，Ｒ２の双方が閉じられると、ＥＨＣ１１０とＰＣＵ６０とが電気的に接続され、ＥＨＣ１１０に電力が供給される。ＥＨＣ１１０に電力が供給されることによって、ＥＨＣ１１０がオン状態になる。ＥＨＣ１１０がオン状態になることによって、ＥＨＣ１１０内の触媒１５４が暖機される。
【００６９】
一方、ＥＨＣリレーＲ１，Ｒ２の少なくとも一方が開かれると、ＥＨＣ１１０とＰＣＵ６０との電気的な接続が遮断され、ＥＨＣ１１０への電力供給が停止される。ＥＨＣ１１０への電力供給が停止されることによって、ＥＨＣ１１０がオフ状態になる。
【００７０】
このように、ＥＣＵ２００がＥＨＣリレーＲ１，Ｒ２の開閉を制御するという比較的簡易かつ安価な構成でＥＨＣ１１０への電力の供給と停止とが切り替えられる。
【００７１】
高圧システムからの漏電経路は、絶縁抵抗Ｒｉで示すような、バッテリ７０、負極線ＮＬのような直流部、あるいは、ＥＨＣ１１０から車体３への漏電経路が考えられる。
【００７２】
漏電検出装置７４は、このような漏電経路における絶縁抵抗Ｒｉの低下を検出する。図４に、図３の漏電検出装置７４のより詳細な構成を示した回路図を示す。なお、図４に示す接地ノードは車両１においてはボディーアースに対応する。また、図４で示す漏電検出装置７４の構成は、一例であり、図４の構成に特に限定されるものではない。
【００７３】
漏電検出装置７４は、信号発生部である発振回路４００と、漏電検出用の抵抗５００と、カップリングコンデンサ４１５と、インピーダンス判定回路６００とを含む。
【００７４】
インピーダンス判定回路６００は、バンドパスフィルタ（ＢＰＦ）８４０と、オフセット回路および増幅回路からなる回路ブロック８５０と、抵抗８６０と、過電圧保護用ダイオード８７０と、コンデンサ８８０と、制御回路１１００とを含む。
【００７５】
発振回路４００は、ノードＮＡに所定周波数（所定周期Ｔｐ）で変化するパルス信号ＳＩＧを印加する。抵抗５００は、ノードＮＡおよびノードＮ１の間に接続される。カップリングコンデンサ４１５は、漏電検出対象となるバッテリ７０とノードＮ１との間に接続される。バンドパスフィルタ８４０は、ノードＮ１に入力端子が接続され、ノードＮ２に出力端子が接続される。バンドパスフィルタ８４０の通過帯域周波数は、パルス信号ＳＩＧの周波数に合わせて設計される。
【００７６】
回路ブロック８５０は、ノードＮ２とノードＮ３との間に接続される。回路ブロック８５０は、バンドパスフィルタ８４０を通過したパルス信号のうち、漏電検出時に設定されるしきい値電圧付近の電圧変化を増幅する。過電圧保護用ダイオード８７０は、電源ノードにカソードが接続され、ノードＮＢにアノードが接続されて、サージ電圧（高電圧，負電圧）を除去する。抵抗８６０はノードＮ３とノードＮＢとの間に接続される。コンデンサ８８０はノードＮＢと接地ノードとの間に接続される。抵抗８６０およびコンデンサ８８０は、回路ブロック８５０から出力される信号のノイズを除去するフィルタとして機能する。
【００７７】
制御回路１１００は、発振回路４００を制御する。また制御回路１１００は、ノードＮＢの電圧を検出して、検出電圧Ｖｒｅｆに基づいて絶縁抵抗Ｒｉの低下を検出する。制御回路１１００は、発振指令部１１１０と、Ａ／Ｄ変換部１１２０と、判定部１１３０とを含む。
【００７８】
発振指令部１１１０は、発振回路４００に対してパルス信号ＳＩＧを発生するよう指示を与えるとともに、パルス信号ＳＩＧのデューティ比を変更するよう指示する。Ａ／Ｄ変換部１１２０は所定のサンプリング周期Ｔｓにより検出したノードＮＢの電圧（検出電圧）をＡ／Ｄ変換する。サンプリング周期Ｔｓはパルス信号ＳＩＧの周期Ｔｐよりも十分短いのでノードＮＢの最大電圧（ピーク電圧Ｖｐ）および最小電圧を検出できる。判定部１１３０は、Ａ／Ｄ変換部１１２０から取得したピーク電圧Ｖｐの値と、しきい値とを比較する。これにより、制御回路１１００は、絶縁抵抗Ｒｉの低下の有無を検出する。
【００７９】
次に、絶縁抵抗Ｒｉの低下を検出する動作について説明する。発振回路４００によって発生されたパルス信号ＳＩＧは、抵抗５００、カップリングコンデンサ４１５、絶縁抵抗Ｒｉ、およびバンドパスフィルタ８４０を含んで構成された直列回路に印加される。これにより、抵抗５００およびカップリングコンデンサ４１５の接続点に相当するノードＮ１には、絶縁抵抗Ｒｉおよび抵抗５００（抵抗値Ｒｄ）の分圧比：Ｒｉ／（Ｒｄ＋Ｒｉ）とパルス信号ＳＩＧの振幅（電源電圧である電圧＋Ｂ）との積に関連する値を波高値とするパルス電圧が発生する。なお電圧＋Ｂは、たとえば補機バッテリの電圧としてもよいが、これに限定されるものではない。
【００８０】
ノードＮ１に発生したパルス電圧は、バンドパスフィルタ８４０によってパルス信号ＳＩＧの周波数以外の成分が減衰される。バンドパスフィルタ８４０を通過したパルス信号ＳＩＧのうち、しきい値電圧付近の電圧変化のみが回路ブロック８５０によって増幅される。回路ブロック８５０から出力される信号はノードＮＢに伝達される。ノードＮ３からノードＮＢに信号が伝達されるに際して、過電圧保護用ダイオード８７０によりサージ電圧が除去されるとともに、抵抗８６０およびコンデンサ８８０によってノイズが除去される。
【００８１】
絶縁抵抗Ｒｉが正常であるときには、Ｒｉ＞＞Ｒｄである。Ｒｉが高くなるにしたがって、ピーク電圧Ｖｐは電圧＋Ｂにほぼ等しくなる。一方、絶縁抵抗Ｒｉの低下時には、分圧比：Ｒｉ／（Ｒｄ＋Ｒｉ）が低下するので、ピーク電圧Ｖｐが低下する。ピーク電圧Ｖｐの低下を検出することにより、絶縁劣化（漏電）の発生を検出することができる。そして、検出抵抗値Ｒｄは固定値であるので、ピーク電圧Ｖｐを観測することによって、絶縁抵抗Ｒｉが算出される。
【００８２】
以上のような構成を有する車両１においては、ＥＨＣ１１０に排気ガスが流通することによって、ＥＨＣ１１０内の触媒１５４と排気通路１０８との間のマット１５３の内部には、水分や煤が蓄積される場合がある。また、マット１５３の内部において水分や煤の蓄積量が増加する場合には、水分や煤が絶縁部材１５５の表面に沿って蓄積することによって、触媒１５４と排気通路１０８との間の絶縁抵抗が低下する場合がある。このような場合に、ＥＨＣ１１０がオン状態になるとＥＨＣ１１０から車体３へ漏電が発生する場合がある。
【００８３】
そこで、本実施の形態によるＥＣＵ２００は、ＥＨＣ１１０と車体３との間の絶縁状態が維持されない場合にＥＨＣ１１０の加熱制御を実行する点を特徴とする。
【００８４】
本実施の形態においては、ＥＣＵ２００は、ＥＨＣ１１０と車体３との間の抵抗値がしきい値よりも小さい状態である場合には、触媒温度Ｔｃが触媒１５４と排気通路１０８との間の水分を蒸発させる第１温度Ｔｃ（１）になるまで触媒１５４を加熱する気化制御を加熱制御として実行する。
【００８５】
さらに、ＥＣＵ２００は、気化制御により上述の電気回路と車体との間の絶縁状態が回復しない場合には、触媒温度Ｔｃが触媒１５４と排気通路１０８との間の煤を酸化させる第２温度Ｔｃ（２）になるまで触媒を加熱する煤焼き制御を実行する。第２温度Ｔｃ（２）は、第１温度Ｔｃ（１）よりも高い温度である。
【００８６】
図５に、本実施の形態に係る車両１に搭載されたＥＣＵ２００の機能ブロック図を示す。ＥＣＵ２００は、抵抗値判定部２０２と、漏電判定部２０４と、加熱制御部２０６とを含む。
【００８７】
抵抗値判定部２０２は、漏電検出装置７４から入力された絶縁抵抗Ｒｉがしきい値Ｒｉ（０）よりも小さいか否かを判定する。しきい値Ｒｉ（０）は、絶縁抵抗Ｒｉの低下を判定するための値であって、予め定められた値である。また、しきい値Ｒｉ（０）は、ＥＨＣ１１０をオン状態にした場合にＥＨＣ１１０から車体３への漏電が発生しない範囲内、あるいは、漏電が発生しても漏電による影響が小さい範囲内で設定される。
【００８８】
なお、抵抗値判定部２０２は、たとえば、絶縁抵抗Ｒｉがしきい値Ｒｉ（０）よりも小さい場合には、抵抗値判定フラグをオン状態にしてもよい。
【００８９】
漏電判定部２０４は、抵抗値判定部２０２において絶縁抵抗Ｒｉがしきい値Ｒｉ（０）よりも小さいと判定された場合に、ＥＨＣ１１０における触媒１５４と排気通路１０８との間の水分や煤に起因した絶縁抵抗の低下が発生しているか否かを判定する。
【００９０】
漏電判定部２０４は、たとえば、抵抗値判定部２０２において絶縁抵抗Ｒｉがしきい値Ｒｉ（０）よりも小さいと判定された場合であって、かつ、電源回路１１２のリレーＲ１，Ｒ２のうちの少なくともいずれかが閉じている場合には、リレーＲ１，Ｒ２がいずれも開くようにリレーＲ１，Ｒ２を制御する。
【００９１】
漏電判定部２０４は、リレーＲ１，Ｒ２が開かれた状態で漏電検出装置７４を用いて絶縁抵抗Ｒｉを検出する。漏電判定部２０４は、検出された絶縁抵抗Ｒｉがしきい値Ｒｉ（０）以上となる場合には、触媒１５４と排気通路１０８との間の水分や煤に起因した絶縁抵抗の低下が発生していると判定する。
【００９２】
漏電判定部２０４は、リレーＲ１，Ｒ２が開かれた状態で検出された絶縁抵抗Ｒｉがしきい値Ｒｉ（０）よりも小さい場合には、触媒１５４と排気通路１０８との間の水分や煤に起因した絶縁抵抗の低下が発生していないと判定する。
【００９３】
さらに、漏電判定部２０５は、抵抗値判定部２０２において絶縁抵抗Ｒｉがしきい値Ｒｉ（０）よりも小さいと判定された場合であって、かつ、電源回路１１２のリレーＲ１，Ｒ２のいずれもが開いている場合には、触媒１５４と排気通路１０８との間の水分や煤に起因した絶縁抵抗の低下が発生していないと判定する。
【００９４】
漏電判定部２０４は、たとえば、抵抗値判定部２０２において絶縁抵抗Ｒｉがしきい値Ｒｉ（０）よりも小さいと判定された場合に、リレーＲ１のみが閉じている場合の絶縁抵抗Ｒｉ（１）と、リレーＲ２のみが閉じている場合の絶縁抵抗Ｒｉ（２）と、リレーＲ１およびＲ２のいずれもが開いている場合の絶縁抵抗Ｒｉ（３）とをそれぞれ検出し、Ｒｉ（１）およびＲｉ（２）のうちの少なくともいずれか一方がしきい値Ｒｉ（０）よりも小さく、かつ、Ｒｉ（３）がしきい値Ｒｉ（０）よりも大きい場合に、触媒１５４と排気通路１０８との間の水分や煤に起因した絶縁抵抗の低下が発生していると判定してもよい。
【００９５】
あるいは、漏電判定部２０４は、たとえば、抵抗値判定部２０２において絶縁抵抗Ｒｉがしきい値Ｒｉ（０）よりも小さいと判定された場合に、リレーＲ１およびＲ２がいずれも閉じている場合の絶縁抵抗Ｒｉ（４）と、リレーＲ１およびＲ２のいずれもが開いている場合の絶縁抵抗Ｒｉ（３）とをそれぞれ検出し、Ｒｉ（４）がしきい値Ｒｉ（０）よりも小さく、かつ、Ｒｉ（３）がしきい値Ｒｉ（０）よりも大きい場合に、触媒１５４と排気通路１０８との間の水分や煤に起因した絶縁抵抗の低下が発生していると判定してもよい。
【００９６】
なお、漏電判定部２０４は、たとえば、抵抗値判定フラグがオン状態である場合に、ＥＨＣ１１０における触媒１５４と排気通路１０８との間の水分や煤に起因した絶縁抵抗の低下が発生しているか否かを判定する。さらに、漏電判定部２０４は、ＥＨＣ１１０における触媒１５４と排気通路１０８との間の水分や煤に起因した絶縁抵抗の低下が発生していると判定された場合に漏電判定フラグをオン状態にしてもよい。
【００９７】
加熱制御部２０６は、漏電判定部２０４においてＥＨＣ１１０における触媒１５４と排気通路１０８との間の水分や煤に起因した絶縁抵抗の低下が発生していると判定された場合にＥＨＣ１１０の加熱制御を実行する。加熱制御部２０６は、たとえば、ＥＨＣ１１０をオン状態にすることによって触媒１５４を加熱する。
【００９８】
本実施の形態において、加熱制御部２０６は、漏電判定部２０４によって触媒１５４と排気通路１０８との間の水分や煤に起因した絶縁抵抗の低下が発生していると判定された場合に気化制御を実行する。
【００９９】
気化制御は、触媒温度Ｔｃが触媒１５４と排気通路１０８との間の水分を蒸発させる第１温度Ｔｃ（１）になるまで触媒１５４を加熱する制御をいう。第１温度Ｔｃは、たとえば、１００℃以上の値である。
【０１００】
加熱制御部２０６は、気化制御において、触媒温度センサ１１４によって検出された触媒温度Ｔｃが第１温度Ｔｃ（１）になるまで触媒１５４を加熱してもよいし、あるいは、予め定められた第１期間が経過するまでＥＨＣ１１０をオン状態にすることによって触媒１５４を加熱してもよい。なお、予め定められた第１期間は、触媒温度Ｔｃが第１温度Ｔｃ（１）以上となるように設定される期間である。
【０１０１】
加熱制御部２０６は、気化制御の実行後に車体３とＥＨＣ１１０との間の絶縁状態が回復しているか否かを判定する。
【０１０２】
具体的には、加熱制御部２０６は、気化制御が実行されてから予め定められた時間が経過するまで絶縁抵抗Ｒｉがしきい値Ｒｉ（０）よりも小さい状態が維持される場合には、絶縁状態が回復していないと判定する。
【０１０３】
一方、加熱制御部２０６は、気化制御が実行されてから予め定められた時間が経過するまでに絶縁抵抗Ｒｉがしきい値Ｒｉ（０）以上になる場合には、絶縁状態が回復していると判定する。なお、電源回路１１２のリレーＲ１，Ｒ２の少なくともいずれかが閉じられているものとする。加熱制御部２０６は、絶縁状態が回復していると判定された場合に加熱制御を終了する。
【０１０４】
加熱制御部２０６は、気化制御の実行後に車体３とＥＨＣ１１０との間の絶縁状態が回復していないと判定される場合には煤焼き制御を実行する。
【０１０５】
煤焼き制御は、触媒温度Ｔｃが触媒１５４と排気通路１０８との間の煤を酸化させる第２温度Ｔｃ（２）になるまで触媒１５４を加熱する制御をいう。第２温度Ｔｃ（２）は、５００℃〜６００℃の範囲の温度である。
【０１０６】
加熱制御部２０６は、煤焼き制御において、触媒温度センサ１１４によって検出された触媒温度Ｔｃが第２温度Ｔｃ（２）になるまで触媒１５４を加熱してもよいし、あるいは、予め定められた第２期間が経過するまでＥＨＣ１１０をオン状態にすることによって触媒１５４を加熱してもよい。なお、予め定められた第２期間は、気化制御の実行後の触媒温度Ｔｃが第２温度Ｔｃ（２）以上となるように設定される期間である。
【０１０７】
加熱制御部２０６は、第２期間の経過後に加熱制御を終了する。加熱制御部２０６は、たとえば、漏電判定フラグがオン状態である場合に加熱制御を実行してもよい。
【０１０８】
本実施の形態においては、加熱制御部２０６は、気化制御を実行した後に車体３とＥＨＣ１１０との間の絶縁状態が回復しない場合に煤焼き制御を実行するものとして説明したが、特にこのような制御に限定されるものではない。加熱制御部２０６は、たとえば、漏電判定部２０４によって１５４と排気通路１０８との間の水分や煤に起因した絶縁抵抗の低下が発生していると判定された場合に煤焼き制御を実行してもよい。
【０１０９】
あるいは、加熱制御部２０６は、煤焼き制御による絶縁状態の回復頻度（絶縁状態が回復する回数）が気化制御による絶縁状態の回復頻度よりも大きい場合に煤焼き制御を気化制御よりも優先して実行してもよい。
【０１１０】
本実施の形態において、抵抗値判定部２０２と、漏電判定部２０４と、加熱制御部２０６とは、いずれもＥＣＵ２００のＣＰＵがメモリに記憶されたプログラムを実行することにより実現される、ソフトウェアとして機能するものとして説明するが、ハードウェアにより実現されるようにしてもよい。なお、このようなプログラムは記憶媒体に記録されて車両１に搭載される。
【０１１１】
図６を参照して、本実施の形態に係る車両１に搭載されたＥＣＵ２００で実行されるプログラムの制御構造について説明する。
【０１１２】
ステップ（以下、ステップをＳと記載する）１００にて、ＥＣＵ２００は、漏電検出装置７４から入力される絶縁抵抗Ｒｉがしきい値Ｒｉ（０）よりも小さいか否かを判定する。絶縁抵抗Ｒｉがしきい値Ｒｉ（０）よりも小さい場合には（Ｓ１００にてＹＥＳ）、処理はＳ１０２に移される。もしそうでない場合には（Ｓ１０２にてＮＯ）、この処理は終了する。
【０１１３】
Ｓ１０２にて、ＥＣＵ２００は、ＥＨＣ１１０における触媒１５４と排気通路１０８との間の水分や煤に起因した絶縁抵抗の低下が発生しているか否かを判定する。ＥＨＣ１１０における触媒１５４と排気通路１０８との間の水分や煤に起因した絶縁抵抗の低下が発生している場合には（Ｓ１０２にてＹＥＳ）、処理はＳ１０４に移される。もしそうでない場合には（Ｓ１０２にてＮＯ）、この処理は終了する。Ｓ１０４にて、ＥＣＵ２００は、加熱制御を実行する。加熱制御については上述したとおりであるためのその詳細な説明は繰り返さない。
【０１１４】
以上のような構造およびフローチャートに基づく本実施の形態に係る車両１に搭載されたＥＣＵ２００の動作について説明する。
【０１１５】
たとえば、エンジン１０が停止中である場合を想定する。エンジン１０が停止中に結露等の発生により排気通路１０８と触媒１５４との間のマット１５３に水分が蓄積される。また、エンジン１０の停止前の作動時においては、排気ガス中の煤がマット１５３において蓄積される。このような場合において、漏電検出装置７４によって絶縁抵抗Ｒｉが検出され、検出された絶縁抵抗Ｒｉがしきい値Ｒｉ（０）よりも小さい場合には（Ｓ１００にてＹＥＳ）、ＥＨＣ１１０における触媒１５４と排気通路１０８との間の水分や煤に起因した絶縁抵抗の低下が発生しているか否かが判定される（Ｓ１０２）。
【０１１６】
たとえば、リレーＲ１およびＲ２のいずれもが開かれた場合に絶縁抵抗Ｒｉがしきい値Ｒｉ（０）以上になる場合には、ＥＨＣ１１０における触媒１５４と排気通路１０８との間の水分や煤に起因した絶縁抵抗の低下が発生していると判定される。
【０１１７】
ＥＨＣ１１０における触媒１５４と排気通路１０８との間の水分や煤に起因した絶縁抵抗の低下が発生している場合には（Ｓ１０２にてＹＥＳ）、加熱制御が実行される（Ｓ１０４）。
【０１１８】
気化制御の実行により触媒温度Ｔｃを第１温度Ｔｃ（１）になるまで上昇させることによって、マット１５３内の水分を蒸発させることができる。このとき、絶縁抵抗Ｒｉがしきい値Ｒｉ（０）以上になる場合には、ＥＨＣ１１０と車体３との間の絶縁状態が回復しているため、加熱制御が終了される。
【０１１９】
一方、気化制御の実行から第１期間が経過するまで絶縁抵抗Ｒｉがしきい値Ｒｉ（０）よりも小さい状態が維持される場合には、煤焼き制御が実行される。
【０１２０】
煤焼き制御の実行により触媒温度Ｔｃを第２温度Ｔｃ（２）になるまで上昇させることによって、マット１５３内の煤を酸化させることができる。マット１５３内の水分を蒸発させ、煤を酸化させることによって、ＥＨＣ１１０と車体３との間の絶縁状態を回復させることができる。煤焼き制御の実行から第２期間が経過した場合に、加熱制御が終了される。
【０１２１】
以上のようにして、本実施の形態に係る車両によると、ＥＨＣ１１０と車体３との間の絶縁状態が維持されない場合に加熱制御を実行することによって触媒１５４が加熱されるため、排気通路１０８と触媒１５４との間の水分を蒸発させたり、煤を酸化させたりすることができる。これにより、ＥＨＣ１１０と車体３との間の絶縁状態を回復させることができる。そのため、ＥＨＣ１１０と車体３との間での漏電の発生を抑制することができる。したがって、電力を用いて加熱される触媒装置における漏電の発生を抑制する車両および車両用制御方法を提供することができる。
【０１２２】
また、絶縁抵抗Ｒｉがしきい値Ｒｉ（０）よりも小さい場合に、気化制御を実行することによって、煤焼き制御を実行する場合よりも低い消費電力かつ短時間で触媒１５４と排気通路１０８との間の絶縁状態を回復させることができる。
【０１２３】
さらに、気化制御の実行後に、あるいは、絶縁抵抗Ｒｉがしきい値Ｒｉ（０）よりも小さい場合に、煤焼き制御を実行することによって、排気通路１０８と触媒１５４との間の水分を蒸発させたり、煤を酸化させたりすることができる。そのため、気化制御を実行する場合よりも触媒１５４と車体３との間の絶縁状態を確実に回復させることができる。
【０１２４】
本実施の形態において、気化制御および煤焼き制御は、いずれもＥＨＣ１１０をオン状態にすることによって行なわれたが、特にＥＨＣ１１０を用いることに限定されるものではない、たとえば、気化制御および煤焼き制御のうちの少なくともいずれか一方が、エンジン１０の点火時期および燃料噴射量の制御により行なわれてもよい。
【０１２５】
エンジン１０の点火時期の制御とは、エンジン１０の点火時期を気化制御あるいは煤焼き制御を実行しない場合にエンジン１０の状態に基づいて設定される点火時期よりも遅角側に変化させる制御をいう。
【０１２６】
また、エンジン１０の燃料噴射量の制御とは、エンジン１０の燃料噴射量を気化制御あるいは煤焼き制御を実行しない場合にエンジン１０の状態に基づいて設定される燃料噴射量よりも増量させる制御をいう。
【０１２７】
さらに、本実施の形態においては、ＥＨＣ１１０と車体３との間の絶縁状態が維持されるか否かを絶縁抵抗Ｒｉに基づいて判定したが、特に抵抗値に基づいて判定することに限定されるものではない。たとえば、ＥＣＵ２００は、ＥＨＣ１１０と車体２との間で流れる電流がしきい値よりも小さい場合に絶縁状態が維持され、電流がしきい値よりも大きい場合に絶縁状態が維持されないと判定してもよい。
【０１２８】
なお、リレーＲ１のみが閉じている場合の絶縁抵抗Ｒｉ（１）およびリレーＲ２のみが閉じている場合のＲｉ（２）のうちの少なくともいずれか一方がしきい値Ｒｉ（０）よりも小さく、かつ、リレーＲ１およびＲ２のいずれもが開いている場合のＲｉ（３）がしきい値Ｒｉ（０）よりも大きい場合に、漏電検出装置７４によって検出される抵抗値は、ＥＨＣ１１０と車体３との間の抵抗値を示す。
【０１２９】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【０１３０】
１  ハイブリッド車両、３  車体、１０  エンジン、１１  エンジン回転速度センサ、１２，１３１レゾルバ、１４  車輪速センサ、１６  駆動軸、１８  クランク軸、２０，３０  ＭＧ、４０  動力分割装置、５０  サンギヤ、５２  ピニオンギヤ、５４  キャリア、５６  リングギヤ、５８  減速機、６０  ＰＣＵ、６１，７１  コンバータ、６２，６３  インバータ、６４，６５  平滑コンデンサ、６６  放電抵抗、７０  バッテリ、７２  補機バッテリ、７４  漏電検出装置、８０  駆動輪、８２  ドライブシャフト、１０２  気筒、１０４  燃料噴射装置、１０６  エキゾーストマニホールド、１０８  排気通路、１１０  ＥＣＵ、１１２  電源回路、１１４  触媒温度センサ、１１６  正側電極、１１８  負側電極、１２０  監視センサ、１５３  マット、１５４  触媒、１５５  絶縁部材、１５６  電池温度センサ、１５８  電流センサ、１６０  電圧センサ、１６２  アクセルペダル、１６４  ペダルストロークセンサ、２００  ＥＣＵ、２０２  抵抗値判定部、２０４  漏電判定部、２０６  加熱制御部、４００  発振回路、４１５  カップリングコンデンサ、５００，８６０  抵抗、６００  インピーダンス判定回路、８４０  バンドパスフィルタ、８５０  回路ブロック、８７０  過電圧保護用ダイオード、８８０  コンデンサ、１１００  制御回路、１１１０  発振指令部、１１２０  Ａ／Ｄ変換部、１１３０  判定部。
【図１】
2014064758.tif 000003
【図２】
2014064758.tif 000004
【図３】
2014064758.tif 000005
【図４】
2014064758.tif 000006
【図５】
2014064758.tif 000007
【図６】
2014064758.tif 000008
【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
エンジンと、
車体と電気的に絶縁される蓄電装置と、
前記蓄電装置の電力を用いて加熱され、前記エンジンの排気ガスを浄化する触媒装置と、
前記触媒装置の加熱制御を実行するための制御装置と、
前記触媒装置と前記車体との間の抵抗値を検出する検出装置とを含み、
前記触媒装置は、前記車体と電気的に絶縁されるように構成され、
前記制御装置は、前記抵抗値がしきい値よりも小さい場合に、前記触媒装置の前記加熱制御を実行する、車両。
【請求項２】
前記制御装置は、前記抵抗値が前記しきい値よりも小さい場合に、触媒温度が前記触媒装置と前記エンジンの排気通路との間の煤を酸化させる温度になるまで前記触媒装置を加熱する煤焼き制御を実行する、請求項１に記載の車両。
【請求項３】
前記制御装置は、前記抵抗値が前記しきい値よりも小さい場合に、触媒温度が前記触媒装置と前記エンジンの排気通路との間の水分を蒸発させる第１温度になるまで前記触媒装置を加熱する気化制御を実行する、請求項１に記載の車両。
【請求項４】
前記制御装置は、前記気化制御の実行により絶縁状態が回復しない場合には、前記触媒温度が前記触媒装置と前記排気通路との間の煤を酸化させる第２温度になるまで前記触媒装置を加熱する煤焼き制御を実行し、
前記第２温度は、前記第１温度よりも高い温度である、請求項３に記載の車両。
【請求項５】
前記制御装置は、前記触媒装置に電力を供給することによって前記触媒装置の温度を上昇させる、請求項１に記載の車両。
【請求項６】
前記車両は、前記蓄電装置から電力の供給を受けて前記車両を走行させる回転電機をさらに含む、請求項１に記載の車両。
【請求項７】
エンジンと、車体と電気的に絶縁される蓄電装置と、前記蓄電装置の電力を用いて加熱され、前記エンジンの排気ガスを浄化する触媒装置とを含む車両に用いられる車両用制御方法であって、前記触媒装置は、前記車体と電気的に絶縁されるように構成され、
前記触媒装置と前記車体との間の抵抗値を検出するステップと、
前記触媒装置と前記車体との間の前記抵抗値がしきい値よりも小さい場合に、前記触媒装置の加熱制御を実行するステップとを含む、車両用制御方法。
【国際調査報告】
2014064758.tif 000009
2014064758.tif 000010